(57)【要約】【課題】各画像の再生条件に基づいて再生時間および選択的に再生様式を各画像に割当てることで、複数の画像を効果的に再生可能な、画像再生装置、画像再生方法、およびプログラムを提供する。【解決手段】複数の画像を読み出す画像読出部と、各画像に相対的な重み付けＷｉを施す重み付け処理部と、各画像に施されている重み付けに応じて、相対的に大きな重み付けを施されている画像に相対的に多くの再生時間ｔｉが割当てられるように、各画像に再生時間を割当てる再生条件決定部と、各画像の再生条件に基づいて、複数の画像を再生処理する画像再生処理部と、を備える。これにより、各画像の重み付けに応じて複数の画像を効果的に再生することができる。【選択図】図２
2009290336.tif 000002
【特許請求の範囲】
【請求項１】
複数の画像を読み出す画像読出部と、
前記各画像に相対的な重み付けを施す重み付け処理部と、
前記各画像に施されている前記重み付けに応じて、相対的に大きな重み付けを施されている画像に相対的に多くの再生時間が割当てられるように、前記各画像に再生時間を割当てる再生条件決定部と、
前記各画像の再生条件に基づいて、前記複数の画像を再生処理する画像再生処理部と、
を備える画像再生装置。
【請求項２】
前記再生条件決定部は、前記各画像に施されている前記重み付けに応じて、前記各画像に再生様式をさらに割当てる、請求項１に記載の画像再生装置。
【請求項３】
前記重み付け処理部は、画像に付加されている付加情報、画像から判定される属性情報の少なくともいずれかに応じて、前記各画像に相対的な重み付けを施す、請求項２に記載の画像再生装置。
【請求項４】
前記重み付け処理部は、画像間の類似度に応じて前記各画像に相対的な重み付けを施す場合に、前記複数の画像を画像の作成時点が近い画像からなる画像集合に区分し、同一の前記画像集合に区分されている画像間の類似度に応じて前記各画像に相対的な重み付けを施す、請求項３に記載の画像再生装置。
【請求項５】
画像の再生履歴情報を記憶する再生履歴情報記憶部をさらに備え、
前記重み付け処理部は、前記再生履歴情報に応じて、前記各画像に相対的な重み付けを施す、請求項２に記載の画像再生装置。
【請求項６】
複数の画像を読み出す画像読出ステップと、
前記各画像に相対的な重み付けを施す重み付け処理ステップと、
前記各画像に施されている前記重み付けに応じて、相対的に大きな重み付けを施されている画像に相対的に多くの再生時間が割当てられるように、前記各画像に再生時間を割当てる再生条件決定ステップと、
前記各画像の再生条件に基づいて、前記複数の画像を再生処理する画像再生処理ステップと、
を含む画像再生方法。
【請求項７】
複数の画像を読み出す画像読出手段、
前記各画像に相対的な重み付けを施す重み付け処理手段、
前記各画像に施されている前記重み付けに応じて、相対的に大きな重み付けを施されている画像に相対的に多くの再生時間が割当てられるように、前記各画像に再生時間を割当てる再生条件決定手段、
前記各画像の再生条件に基づいて、前記複数の画像を再生処理する画像再生処理手段、
としてコンピュータを機能させるためのプログラム。
【発明の詳細な説明】
【技術分野】
【０００１】
本発明は、画像再生装置、画像再生方法、およびプログラムに関する。
【背景技術】
【０００２】
従来、複数の画像を再生する画像再生機能（以下、スライドショー機能とも称する。）を有する、パーソナルコンピュータ、スチルカメラ、ビデオカメラなどが知られている。スライドショー機能では、予め格納されている複数の画像が読出されて再生され、ディスプレイ、表示パネル、スクリーンなどに表示される。
【発明の開示】
【発明が解決しようとする課題】
【０００３】
従来のスライドショー機能では、複数の画像が順次に読出され、読出された順序に従って一定の間隔で再生表示される。このため、例えば、互いに類似する複数の画像が格納されている場合には、類似する画像が一定の間隔で連続して再生表示される（表示が切替る）ので、スライドショーを視聴するユーザは、退屈に感じてしまう場合がある。
【０００４】
また、従来のスライドショー機能では、複数の画像が一定の再生様式（レイアウト、エフェクト）で表示される。このため、ユーザは、スライドショーに対して余り魅力を感じない場合がある。
【０００５】
本発明は上記問題点に鑑みてなされたものであり、その目的は、各画像の再生条件に基づいて再生時間および選択的に再生様式を各画像に割当てることで、複数の画像を効果的に再生可能な、新規かつ改良された、画像再生装置、画像再生方法、およびプログラムを提供することにある。
【課題を解決するための手段】
【０００６】
上記課題を解決するために、本発明の第１の観点によれば、複数の画像を読み出す画像読出部と、各画像に相対的な重み付けを施す重み付け処理部と、各画像に施されている重み付けに応じて、相対的に大きな重み付けを施されている画像に相対的に多くの再生時間が割当てられるように、各画像に再生時間を割当てる再生条件決定部と、各画像の再生条件に基づいて、複数の画像を再生処理する画像再生処理部と、を備える画像再生装置が提供される。
【０００７】
かかる構成によれば、再生対象となる複数の画像に対して、各画像に重み付けが施され、各画像の重み付けに応じて相対的に高い重み付けの画像に相対的に多くの再生時間が割当てられ、各画像の再生時間に従って複数の画像が再生される。これにより、各画像の重み付けに応じて複数の画像を効果的に再生することができる。
【０００８】
また、上記再生条件決定部は、各画像に施されている重み付けに応じて、各画像に再生様式をさらに割当ててもよい。これにより、各画像の重み付けに応じた再生時間および再生様式により複数の画像を効果的に再生することができる。
【０００９】
また、上記重み付け処理部は、画像に付加されている付加情報、画像から判定される属性情報の少なくともいずれかに応じて、各画像に相対的な重み付けを施してもよい。これにより、各画像の付加情報、属性情報に基づく重み付けに応じた再生条件（再生時間、再生様式）により複数の画像を効果的に再生することができる。
【００１０】
また、上記重み付け処理部は、画像間の類似度に応じて各画像に相対的な重み付けを施す場合に、複数の画像を画像の作成時点が近い画像からなる画像集合に区分し、同一の画像集合に区分されている画像間の類似度に応じて各画像に相対的な重み付けを施してもよい。これにより、作成時点が離れている異なる画像集合に区分される画像間で類似度が判定されることにより生じる重み付け処理上の誤差を防止することができる。
【００１１】
また、上記画像の再生履歴情報を記憶する再生履歴情報記憶部をさらに備え、重み付け処理部は、再生履歴情報に応じて、各画像に相対的な重み付けを施してもよい。これにより、再生履歴情報に基づく重み付けに応じた再生条件（再生時間、再生様式）により複数の画像を効果的に再生することができる。
【００１２】
上記課題を解決するために、本発明の第２の観点によれば、複数の画像を読み出す画像読出ステップと、各画像に相対的な重み付けを施す重み付け処理ステップと、各画像に施されている重み付けに応じて、相対的に大きな重み付けを施されている画像に相対的に多くの再生時間が割当てられるように、各画像に再生時間を割当てる再生条件決定ステップと、各画像の再生条件に基づいて、複数の画像を再生処理する画像再生処理ステップと、を含む画像再生方法が提供される。これにより、各画像の重み付けに応じて複数の画像を効果的に再生することができる。
【００１３】
上記課題を解決するために、本発明の第３の観点によれば、前述した第１の観点に係る画像再生装置としてコンピュータを機能させるためのプログラムが提供される。
【発明の効果】
【００１４】
本発明によれば、各画像の再生条件に基づいて再生時間および選択的に再生様式を各画像に割当てることで、複数の画像を効果的に再生可能な、画像再生装置、画像再生方法、およびプログラムを提供することができる。
【発明を実施するための最良の形態】
【００１５】
以下に、添付した図面を参照しながら、本発明の好適な実施形態について詳細に説明する。なお、本明細書および図面において、実質的に同一の機能構成を有する構成要素については、同一の符号を付することにより重複説明を省略する。
【００１６】
図１は、本発明の一実施形態に係る画像再生装置を示すブロック図である。以下では、画像再生装置がパーソナルコンピュータなどの情報処理端末（以下では、処理端末とも称する。）であり、処理端末上において、後述する画像再生方法が実施される場合について説明する。しかし、画像再生装置は、後述する画像再生方法を実行可能な、スチルカメラ、ビデオカメラなどの撮像装置でもよい。
【００１７】
図１に示すように、処理端末は、ＣＰＵ１０２、ＲＯＭ１０４、ＲＡＭ１０６、ディスプレイ１０８、キーボード１１０、マウス１１２、ハードディスク１１４、ネットワークインタフェース１１６、カードコントローラ１１８などの構成要素を備え、各構成要素はバス１２０により相互接続されている。
【００１８】
ＣＰＵ１０２は、ＲＡＭ１０６に格納された処理プログラムを実行することにより、後述する画像再生方法を実施し、図示しないデバイスコントローラを介してＲＡＭ１０６、ディスプレイ１０８、ハードディスク１１４、カードコントローラ１１８などを制御する。ＲＯＭ１０４は、ＣＰＵ１０２が動作するために必要とされる制御プログラム、データが予め格納された不揮発性メモリである。ＲＡＭ１０６は、各種のプログラム、データが一時的に格納されるメモリである。ハードディスク１１４は、ＯＳ、処理プログラムが格納される不揮発性メモリである。ディスプレイ１０８は、複数の画像を表示し、表示パネル、スクリーンなどにより代用されてもよい。キーボード１１０、マウス１１２は、各種の操作情報を入力するためにユーザにより用いられる。ネットワークインタフェース１１６は、例えば、モデム、ネットワークインタフェースカードなどにより構成される。カードコントローラ１１８は、リムーバブルメモリ１２２に対するデータの記憶／再生を制御する。
【００１９】
ＣＰＵ１０２は、処理端末全体の制御を行うとともに、主として、画像読出部、重み付け処理部、再生条件決定部、画像再生処理部として機能する。画像読出部は、画像格納部から複数の画像を読み出す。重み付け処理部は、各画像に相対的な重み付けを施す。再生条件決定部は、各画像に施されている重み付けに応じて、相対的に大きな重み付けを施されている画像に相対的に多くの再生時間が割当てられるように、各画像に再生時間を割当てる。再生条件決定部は、各画像に施されている重み付けに応じて、各画像に再生様式をさらに割当てる。画像再生処理部は、各画像の再生条件に基づいて、複数の画像を再生処理する。ＲＡＭ１０６、ハードディスク１１４は、再生対象となる複数の画像を格納する画像格納部、画像の再生履歴情報を記憶する再生履歴情報記憶部として機能する。
【００２０】
なお、画像読出部、重み付け処理部、再生条件決定部、および画像再生処理部は、ＣＰＵ１０２上で実行されて、各構成要素の機能を行う処理プログラムをＲＡＭ１０６にインストールすることで実現されてもよく、専用のハードウェアにより実現されてもよい。また、処理プログラムは、例えばリムーバブルメモリ１２２などのコンピュータ読取可能な記憶媒体に記憶され、必要に応じて読出されて実行されてもよく、ネットワークインタフェース１１６を通じて取得されてもよい。
【００２１】
まず、図２および図３を参照しながら、本発明の一実施形態に係る画像再生方法について説明する。図２は、画像再生方法の処理概要を示す模式図である。また、図３は、画像再生方法の処理フローを示すフロー図である。
【００２２】
画像再生方法では、図２に示すように、処理対象となる各画像２１〜２５に相対的な重み付けＷｉ（ｉ：画像の識別子、ｉ＝１…ｎ）が施され、重み付けＷｉに応じて再生時間ｔｉが割当てられ、再生時間に応じて順次に再生されて表示される。
【００２３】
以下では、図３を参照しながら、画像再生方法の処理フローを詳細に説明する。
【００２４】
処理の開始に先立ち、処理端末には、複数の画像が格納されている。複数の画像は、ネットワークインタフェース１１６を介して外部機器から入力され、またはカードコントローラ１１８を介してリムーバブルメモリ１２２から入力され、画像格納部に格納されている。画像には、例えば画像ファイル名など、画像を識別するために付加情報が付加されている。付加情報は、撮影画像であれば、例えば、撮影日時、撮影場所の位置情報（ＧＰＳなどの現在位置情報取得機能を有する撮像装置により撮影された撮影画像の場合）を含み、撮影画像以外であれば、例えば、作成日時を含む。なお、以下では、撮影画像を画像再生方法の処理対象とする場合について説明する。
【００２５】
処理端末は、複数の画像を読み出す（ステップＳ１０２）。処理が開始すると、処理対象となる複数の画像が画像読出部により画像格納部から読み出されて、ＲＡＭ１０６などに一時的に記憶される。処理対象となる複数の画像は、キーボード１１０、マウス１１２などを介してユーザにより選択されてもよく、画像格納部上の特定の領域に予め格納されている画像（例えば、特定のフォルダ／ディレクトリに格納されている画像ファイル）として選択されてもよい。
【００２６】
処理端末は、各画像に重み付けを施す（Ｓ１０４）。処理対象となる各画像は、重み付け処理部により複数の画像間で相対的な重み付けＷｉを施され、各画像の重み付けＷｉが各画像に関連付けてＲＡＭ１０６などに一時的に記憶される。ここで、各画像の重み付けＷｉは、詳細を後述するが、重み付けＷｉを算出する際に用いられた重み付け条件毎の重み付け値ｗ（ｉ、ｊ）（ｊ：後述する重み付け条件の識別子、例えばｊ＝１〜６のうち少なくともいずれか）とともに記憶される。以下では、重み付け処理について詳細に説明する。
【００２７】
重み付け条件としては、様々な条件を適用することができるが、その一例を次に示す。
・条件１（ｊ＝１）：撮影日時が古い画像を重視する。
・条件２（ｊ＝２）：再生順序が連続している画像間で類似度が低い画像を重視する。
・条件３（ｊ＝３）：画像中に含まれている人物の数が多い画像を重視する。
・条件４（ｊ＝４）：画像中に含まれている人物の表情が占める領域の比率が高い画像を重視する。
・条件５（ｊ＝５）：画像中に含まれている人物の年齢が低い画像を重視する。
・条件６（ｊ＝６）：画像中に含まれている人物の笑顔度が高い画像を重視する。
【００２８】
条件１の場合には、処理対象となる画像の付加情報に基づいて、重み付け処理部により重み付けが施される。条件２〜６の場合には、処理対象となる画像に対して画像解析、画像認識などの画像処理が施され、画像処理の結果から判定される画像の属性情報に基づいて、重み付け処理部により重み付けが施される。
【００２９】
具体的には、条件１の場合には、処理対象となる複数の画像のうち撮影日時が最も古い画像の撮影日時と現在時点との間の期間を基準として、各画像の撮影日時と現在時点との間の期間が長い画像ほど高い重み付け値ｗ（ｉ、１）が設定される。これにより、古い画像を懐かしむユーザに対して、古い画像を重視する再生条件で画像を再生することができる。
【００３０】
条件２の場合には、画像の属性情報として、再生順序が連続している所定の数の画像間で類似度が算出され、類似度の低い画像ほど高い重み付け値ｗ（ｉ、２）が設定される。これにより、例えば連続撮影された類似する画像を視聴するユーザに対して、類似しない画像を重視する再生条件で画像を再生することができる。したがって、従来のように、類似する画像が一定の間隔で連続して再生されてユーザが退屈に感じてしまうことを防止することができる。
【００３１】
条件３の場合には、画像の属性情報として、画像中に含まれている人物の数が検出され、人物の数が多い画像ほど高い重み付け値ｗ（ｉ、３）が設定される。条件４の場合には、画像の属性情報として、画像中に含まれている人物の表情が占める領域（表情領域）の画素数が検出され、画像全体の画素数に対して表情領域の画素数の比率が高いほど高い重み付け値ｗ（ｉ、４）が設定される。条件５の場合には、画像の属性情報として、画像中に含まれている人物の年齢が検出され、人物の年齢が低い画像ほど高い重み付け値ｗ（ｉ、５）が設定される。条件６の場合には、画像の属性情報として、画像中に含まれている人物の笑顔度が算出され、笑顔度が高い画像ほど高い重み付け値ｗ（ｉ、６）が設定される。なお、笑顔度とは、画像処理により被写体の表情から算出されるパラメータであり、被写体が笑っていたり、楽しそうにしていると大きな値を示し、被写体が泣いていたり、苦しそうにしていると小さな値を示す。なお、条件４〜６の場合において、画像中に複数の人物が含まれている場合には、各人物毎の検出値／算出値を平均化した値に基づいて、重み付け値ｗ（ｉ、４）〜ｗ（ｉ、６）が設定される。これにより、特定の被写体条件を満たす画像を好むユーザに対して、所望の画像を重視する再生条件で画像を再生することができる。
【００３２】
重み付けの条件としては、例えば、前述した条件１〜６を単独、または条件１〜６のうち複数の条件を任意に組合せて適用することができる。ここで、複数の条件を組合せる場合には、条件毎の重み付け値ｗ（ｉ、ｊ）を合計した値または掛合せた値が各画像の重み付けＷｉとなる。
【００３３】
複数の条件を組合せる場合には、例えば次式のように、条件間の優先度ａｊが設定される。条件間の優先度ａｊは、ユーザに関連付けてハードディスク１１４などに記憶されており、重み付け処理部により読み出されて利用される。条件間の優先度ａｊは、所定の値として予め設定されていてもよく、ユーザにより設定されてもよく、後述する再生履歴情報に応じて、ユーザの嗜好に適するように調節されてもよい。
Ｗｉ＝ａ１・ｗ（ｉ、１）＋ａ２・ｗ（ｉ、２）＋…・・・（式１）
【００３４】
条件間の優先度ａｊを再生履歴情報に基づいて調節する場合に、まず、再生履歴情報が重み付け処理部により再生履歴情報記憶部から読み出される。そして、再生履歴情報に基づいて、条件間の優先度ａｊが重み付け処理部により調節される。条件間の優先度ａｊの調節では、例えば、条件３〜条件６の重み付け値ｗ（ｉ、３）〜ｗ（ｉ、６）が高い画像が多くの頻度で再生されている（人物が含まれている画像の再生頻度が高い）場合には、条件３〜条件６の優先度ａ３〜ａ６を相対的に大きな値とする。これにより、人物が含まれている画像を好むユーザに適するように、優先度を調節することができる。また、条件５の重み付け値ｗ（ｉ、５）が高い画像が多くの頻度で再生されている（年齢が低い人物が含まれている画像の再生頻度が高い）場合には、条件５の優先度ａ５を相対的に大きな値とする。これにより、年齢が低い人物が含まれている画像を好むユーザに適するように、優先度を調節することができる。
【００３５】
処理端末は、各画像に再生時間／再生様式を割当てる（Ｓ１０６）。処理対象となる各画像は、各画像の重み付けＷｉに応じて、再生条件決定部により再生時間／再生様式を割当てられ、各画像の再生時間／再生様式が各画像に関連付けてＲＡＭ１０６などに一時的に記憶される。以下では、再生時間の割当処理について詳細に説明し、再生様式の割当処理については、後述する。
【００３６】
再生時間の割当処理では、まず、処理対象となる複数の画像を再生する合計時間（合計再生時間）Ｔが決定される。なお、以下では、処理対象となる複数の画像の数を再生画像数ｎと称する。再生画像数ｎは、前述した重み付け処理を施された画像の数として得られる。合計再生時間Ｔは、再生画像数ｎに依存する値／依存しない値として予め設定されてもよく、ユーザにより任意の値として設定されてもよい。
【００３７】
合計再生時間Ｔが決定すると、再生条件決定部により各画像に再生時間ｔｉが当てられる。各画像の再生時間ｔｉは、例えば次式に基づいて、相対的な重み付けＷｉが高い画像ほど相対的に多くの再生時間ｔｉが割当てられる。
ｔｉ＝Ｔ×Ｗｉ／ＳｕｍＷｉ  ・・・（式２）
ここで、ＳｕｍＷｉは、処理対象となるｎ枚の画像の全てを対象として、各画像の重み付けＷｉを合計した値を示す。
【００３８】
処理端末は、複数の画像の再生を開始する（Ｓ１０８）。処理を開始すると、処理端末は、再生すべき画像が残っているかを判定し（Ｓ１１０）、画像が残っていれば、割当てられた再生時間／再生様式に基づいて画像を再生して（Ｓ１１２）、処理Ｓ１１０に復帰し、残っていなければ、画像の再生を終了する。
【００３９】
処理対象となる各画像は、画像再生処理部により、ＲＡＭ１０６から順次に読み出され、各画像に割当てられた再生時間ｔｉに応じて再生されてディスプレイ１０８上に表示される。複数の画像の再生を開始すると、画像再生処理部により画像１が再生されて表示され、画像１の再生時間ｔ１が経過すると、画像１の代わりに画像２が再生されて表示され、画像２の再生時間ｔ２が経過すると、画像２の代わりに画像３が再生されて表示される。そして、処理対象となる画像のうち最後の画像ｎが再生されて表示され、画像ｎの再生時間ｔｎが経過すると、画像の再生が終了する。
【００４０】
画像の再生が終了すると、処理端末は、再生された各画像の重み付けＷｉを記憶（記録）する（Ｓ１１４）。再生された各画像の重み付けＷｉは、条件毎の重み付け値ｗ（ｉ、ｊ）とともに、ＲＡＭ１０６に一時的に記憶された状態から再生履歴情報として再生履歴情報記憶部に記憶される。なお、再生された各画像の重み付けＷｉと併せて、再生された画像の画像ファイル名が再生履歴情報として記憶されてもよい。
【００４１】
これにより、各画像の重み付けＷｉに応じて、再生条件（再生時間）を変化させることで、複数の画像を効果的に再生することができる。
【００４２】
図４は、重み付け処理として適用可能な他の処理を示すフロー図である。図４に示す処理は、図２に示す処理Ｓ１０４の一部に相当し、重み付け条件として条件２が単独または他の条件と組合せて適用される場合に行うことができる。
【００４３】
処理端末は、処理対象となる複数の画像を撮影日時に応じて並び替える（Ｓ１２２）。処理対象となる複数の画像は、付加情報に基づいて撮影日時の順に並び替えられる。処理端末は、複数の画像にイベントクラスタリング処理を施し、撮影日時の近い画像からなる画像集合に区分する（Ｓ１２４）。イベントクラスタリング処理では、複数の画像を区分する画像集合の数（イベント数）、または複数の画像を区分する際に用いる基準となる期間（例えば、１日、１週間、１月、１年など、イベント期間）が予め設定される。そして、処理対象となる複数の画像は、イベント数またはイベント期間に応じて、撮影日時の近い画像からなる画像集合（イベント）に区分される。
【００４４】
イベントクラスタリング処理が行われると、処理端末は、画像集合毎に処理Ｓ１２６〜Ｓ１３４を実行する。処理Ｓ１２６〜Ｓ１３４では、各画像集合に含まれている複数の画像を対象として、画像の属性情報として、再生順序が連続している所定の数の画像間で類似度が算出され、類似度の低い画像ほど高い重み付け値ｗ（ｉ、２）が設定される。ここで、類似度の判定は、同一の画像集合に属する画像間でのみ行われ、互いに異なる画像集合に属する画像間では行われない。
【００４５】
これにより、同一のイベントに属する画像間でのみ類似度が判定されるので、異なるイベントに属する画像間で類似度が判定される場合に生じる重み付け処理上の誤差を防止することができる。
【００４６】
次に、図５〜図８を参照しながら、各画像に再生様式を割当てる場合の処理について説明する。図５〜図８は、いくつかの再生様式を例示する説明図である。
【００４７】
再生様式としては、例えばディスプレイ１０８に対する画像の配置およびサイズをレイアウトとして割当て、または、例えばフェードイン、モノクローム、フレームなどをエフェクトとして割当て、またはレイアウトおよびエフェクトの両方を割当てることができる。
【００４８】
図５は、重み付け条件として条件２が適用される場合に割当て可能なレイアウトの一例である。この再生様式では、再生順序が連続している複数の画像５１〜５５間で低い類似度が算出された場合には、図５に示すように、ディスプレイ１０８上に各画像５１〜５５が１枚ずつ表示される代わりに、各画像５１〜５５が所定の数（例えば、図５の場合には９枚）ずつ表示される。この場合に、各画像５１〜５５は、画像再生処理部によりレイアウトに適したサイズにリサイズされる。そして、所定の数ずつ表示する各画像５１〜５５については、１つずつ表示する場合よりも低い重み付け値ｗ（１、２）〜ｗ（９、２）が設定され、従って短縮された表示時間が割当てられる。これにより、互いに類似する複数の画像５１〜５５を効果的に再生することができる。なお、再生順序が連続し、かつ低い類似度が算出された複数の画像５１〜５５以外の各画像は、再生条件（再生時間）に基づいて１枚ずつ表示される。
【００４９】
図６は、重み付け条件として条件２と併せて条件４または条件６が適用される場合に割当て可能なレイアウトの一例である。この再生様式では、図６に示すように、図５に示す場合と同様に、再生順序が連続している複数の画像６１〜６５が所定の数ずつ表示される。そして、複数の画像６１〜６５のうち、表情領域の画素数の比率が高い画像、または笑顔度の高い画像（特徴画像）が選択され、他の画像と重畳して表示される。ここで、特徴画像は、他の画像に比して大きなサイズで表示され、および／またはフレームなどのエフェクト処理を施された画像として表示されてもよい。この場合にも、各画像６１〜６５は、画像再生処理部によりレイアウトに適したサイズにリサイズされ、選択的にエフェクト処理を施される。そして、所定の数ずつ表示する各画像６１〜６５については、１つずつ表示する場合よりも低い重み付け値ｗ（１、２）〜ｗ（１１、２）が施され、従って短縮された表示時間が割当てられる。なお、図６では、画像１〜１１からなる１１枚の画像のうち画像２、１１が笑顔度の高い特徴画像であり、特徴画像以外の９枚の画像が並べて表示された上に、特徴画像である画像２、１１が重畳して表示されている。これにより、特徴画像を含む互いに類似する複数の画像６１〜６５を効果的に再生することができる。
【００５０】
図７は、重み付け条件として条件１が適用される場合に割当て可能なエフェクトの一例である。この再生様式では、複数の画像７１〜７５のうち各画像の撮影日時がある程度ばらついている場合には、図７に示すように、古い画像ほどかすんだ画像、ぼやけた画像（いわゆるレトロ調、セピア調と称される画像）として表示される。なお、図７では、撮影日時が古い画像ほど左側に表示されている。この場合に、各画像７１〜７５は、画像再生処理部によりエフェクト処理を施される。これにより、撮影日時がある程度ばらついている複数の画像７１〜７５を効果的に再生することができる。
【００５１】
図８は、重み付け条件として条件３〜条件６が単独または任意に組み合わされて適用される場合に割当て可能なエフェクトの一例である。この再生様式では、単独の条件または組み合わされた条件が所定の条件値を満たす場合に、図８に示すように、所定の装飾（例えばフレームなど）を施された画像として表示される。例えば、図８の左側に示す例では、条件５および条件６に基づいて、泣いている赤ちゃんが含まれている画像８１が特定され、特定された画像８１に適したフレームが施されている。また、図８の右側に示す例では、条件５、条件６および画像中に含まれている人物の性別に基づいて、笑顔の若者男女が含まれている画像８２が特定され、特定された画像８２に適したフレームが施されている。この場合に、各画像８１、８２は、画像再生処理部により、例えばＲＡＭ１０６、ハードディスク１１４などに予め記憶されている装飾画像などをエフェクト処理として施される。これにより、所定の条件を満たす画像８１、８２を効果的に再生することができる。
【００５２】
以上説明したように、本発明の一実施形態に係る画像処理装置によれば、再生対象となる複数の画像に対して、各画像に重み付けＷｉが施され、各画像の重み付けＷｉに応じて相対的に高い重み付けＷｉの画像に相対的に多くの再生時間ｔｉが割当てられ、各画像の再生時間ｔｉに従って複数の画像が再生される。これにより、各画像の重み付けＷｉに応じて複数の画像を効果的に再生することができる。また、各画像の重み付けＷｉに応じた再生時間および再生様式により複数の画像を効果的に再生することができる。
【００５３】
以上、添付図面を参照しながら本発明の好適な実施形態について説明したが、本発明は係る例に限定されない。当業者であれば、特許請求の範囲に記載された技術的思想の範疇内において、各種の変更例または修正例に想到し得ることは明らかであり、それらについても当然に本発明の技術的範囲に属するものと了解される。
【図面の簡単な説明】
【００５４】
【図１】本発明の一実施形態に係る画像再生装置を示すブロック図である。
【図２】画像再生方法の処理概要を示す模式図である。
【図３】画像再生方法の処理フローを示すフロー図である。
【図４】重み付け処理として適用可能な他の処理を示すフロー図である。
【図５】重み付け条件として条件２が適用される場合に割当て可能なレイアウトの一例である。
【図６】重み付け条件として条件２と併せて条件４または条件６が適用される場合に割当て可能なレイアウトの一例である。
【図７】重み付け条件として条件１が適用される場合に割当て可能なエフェクトの一例である。
【図８】重み付け条件として条件３〜条件６が単独または任意に組み合わされて適用される場合に割当て可能なエフェクトの一例である。
【符号の説明】
【００５５】
１０２    ＣＰＵ
１０４    ＲＯＭ
１０６    ＲＡＭ
１０８    ディスプレイ
１１０    キーボード
１１２    マウス
１１４    ハードディスク
１１６    ネットワークインタフェース
１１８    カードコントローラ
１２０    バス
１２２    リムーバブルメモリ
【図１】
2009290336.tif 000003
【図２】
2009290336.tif 000004
【図３】
2009290336.tif 000005
【図４】
2009290336.tif 000006
【図５】
2009290336.tif 000007
【図６】
2009290336.tif 000008
【図７】
2009290336.tif 000009
【図８】
2009290336.tif 000010